(57)【要約】【課題】  地震によって左右の躯体が揺れ動いても、目地プレートの支持状態が解除されることを防止できるとともに、破損や変形することなく目地プレートを支持できる目地プレート用支承装置を提供すること。【解決手段】  左右の躯体の間の目地部に設けられる床用目地装置に用いられる目地プレートを支持する目地プレート用支承装置であって、一方の躯体の目地プレート支持部に設けられたスベリ部材と、該スベリ部材に設けられた目地プレート支持部材と、該目地プレート支持部材に固定され、目地プレートを枢支する枢支ピンと、前記一方の躯体の目地部側の壁面に着脱可能に取り付けられ、かつ、上端部付近が屈曲した脱落防止片を有する取り付けプレートと、前記目地プレート支持部材に設けられ、かつ、前記取り付けプレートに当接する複数個の第１の当接部材と、一方、前記目地プレート支持部材に設けられ、かつ、前記一方の躯体側の壁面に当接する複数個の第２の当接部材とで構成される。【選択図】  図１
2018178625.tif 000002
【特許請求の範囲】
【請求項１】
左右の躯体の間の目地部に設けられる床用目地装置に用いられる目地プレートを支持する目地プレート用支承装置であって、
一方の躯体の目地プレート支持部に設けられたスベリ部材と、該スベリ部材に設けられた目地プレート支持部材と、該目地プレート支持部材に固定され、目地プレートを枢支する枢支ピンと、前記一方の躯体の目地部側の壁面に着脱可能に取り付けられ、かつ、上端部付近が屈曲した脱落防止片を有する取り付けプレートと、前記目地プレート支持部材に設けられ、かつ、前記取り付けプレートに当接する複数個の第１の当接部材と、一方、前記目地プレート支持部材に設けられ、かつ、前記一方の躯体側の壁面に当接する複数個の第２の当接部材とで構成される目地プレート用支承装置。
【請求項２】
前記目地プレート支持部材の目地部側の上面には、この脱落防止片が入り込む階段状の段差が形成され、前記取り付けプレートの脱落防止片は前記段差状の凹所の上部に位置するとともに、前記複数個の第１の当接部材は、取り付けプレートの側面及び脱落防止片にそれぞれ当接することを特徴とする請求項１に記載の目地プレート用支承装置。
【請求項３】
前記一方の躯体の目地プレート支持部には、目地部側に段差状に突出し、前記目地プレート支持部材が目地プレート支持部から脱落することを防止する脱落防止部が設けられ、前記複数個の第２の当接部材は、一方の躯体側の壁面及び脱落防止部にそれぞれに当接することを特徴とする請求項１又は請求項２のいずれかに記載の目地プレート用支承装置。
【請求項４】
前記第１の当接部材及び第２の当接部材は、スベリ材であることを特徴とする請求項１乃至請求項３のいずれかに記載の目地プレート用支承装置。
【発明の詳細な説明】
【技術分野】
【０００１】
本発明は左右の躯体の間の目地部に設けられる床用目地装置に用いられる目地プレートを支持する目地プレート用支承装置に関する。
【背景技術】
【０００２】
従来、この種の床用目地装置に用いられる目地プレート用支承装置としては、一方の躯体の目地部側の壁面に固定された正面視略クランク状のレールと、このレールにローラー等の滑り部材を介して前後方向にスライド移動可能に設けられたスベリ体と、このスベリ体の上面に固定され、目地プレートを枢支する枢支ピンとからなるものが知られている（特許文献１）。
【０００３】
しかしながら、上記のような支承レールは、単にレールの上にスベリ体が載置されているだけの状態であるため、特許文献１の図６のように地震によって左右の躯体が揺れ動き、目地部が広くなった場合等には、レールの目地部側の壁面をスベリ体が乗り越えて脱落してしまい、目地プレートの支持状態が解除されてしまうおそれがあった。
【０００４】
また、レール左右方向には若干の遊びがあるため、目地部が広くなったり狭くなったりすると、スベリ体がレールの目地部側の壁面に何度も衝突し、このレールの目地部側の壁面が損傷してしまうおそれがあった。
【先行技術文献】
【特許文献】
【０００５】
【特許文献１】特開２０１５−９４１１６号公報
【発明の概要】
【発明が解決しようとする課題】
【０００６】
本発明は以上のような従来の欠点に鑑み、地震によって左右の躯体が揺れ動いても、目地プレートの支持状態が解除されることを防止できるとともに、破損や変形することなく目地プレートを支持できる目地プレート用支承装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の目地プレート用支承装置は、左右の躯体の間の目地部に設けられる床用目地装置に用いられる目地プレートを支持する目地プレート用支承装置であって、一方の躯体の目地プレート支持部に設けられたスベリ部材と、該スベリ部材に設けられた目地プレート支持部材と、該目地プレート支持部材に固定され、目地プレートを枢支する枢支ピンと、前記一方の躯体の目地部側の壁面に着脱可能に取り付けられ、かつ、上端部付近が屈曲した脱落防止片を有する取り付けプレートと、前記目地プレート支持部材に設けられ、かつ、前記取り付けプレートに当接する複数個の第１の当接部材と、一方、前記目地プレート支持部材に設けられ、かつ、前記一方の躯体側の壁面に当接する複数個の第２の当接部材とで構成される。
【発明の効果】
【０００９】
以上の説明から明らかなように、本発明にあっては次に列挙する効果が得られる。
（１）請求項１に記載の発明においては、脱落防止片を備える板状の取り付けプレートを備えているので、地震によって左右の躯体が揺れ動いても目地プレート支持部材が目地プレート支持部から脱落することを防止できる。
したがって、目地プレートの支持状態が解除されることを防止でき、目地プレートが目地部に落下すること等を防止することができる。
（２）目地プレート支持部材には、取り付けプレートに常時当接する第１の当接部材と、前記目地プレート支持部材に設けられ、前記一方の躯体に当接する第２の当接部材を備えているので、地震によって左右の躯体が揺れ動いても、目地プレート支持部材が取り付けプレート等に衝突することを防止でき、取り付けプレートや一方の躯体の損傷等を防止できる。
（３）請求項２に記載の発明においても、前記（１）〜（２）と同様な効果が得られるとともに、第１の当接部材が取り付けプレートの２つの面に当接するので、より確実に目地プレート支持部材が目地プレート支持部から脱落することを防止できる。
（４）請求項３に記載の発明においても、前記（１）〜（３）と同様な効果が得られるとともに、第２の当接部材が一方の躯体に設けられた目地プレート支持部の２つの面に当接するので、より確実に目地プレート支持部材が目地プレート支持部から脱落することを防止できる。
（５）請求項４に記載の発明においても、前記（１）〜（４）と同様な効果が得られるとともに、当接部材にローラー等のスベリ材を用いているので、前後方向へのスライド移動をスムーズに行うことができる。
【図面の簡単な説明】
【００１０】
図１乃至図９は本発明の第１の実施形態を示す説明図である。
図１０乃至図１１は本発明の第２の実施形態を示す説明図である。
図１２乃至図１３は本発明の第３の実施形態を示す説明図である。
図１４乃至図１５は本発明の第４の実施形態を示す説明図である。
【図１】第１の実施形態を示す目地プレート用支承装置の平面図。
【図２】目地プレート用支承装置の右側面図。
【図３】図１の３−３線に沿う断面図。
【図４】使用状態（床用目地プレートを設置した状態）の平面図。
【図５】図４の５−５線に沿う断面図。
【図６】図４の６−６線に沿う断面図。
【図７】地震で目地部が狭くなった状態の正面視側からの動作説明図。
【図８】地震で目地部が広くなった状態の正面視側からの動作説明図。
【図９】地震で左右の躯体が異なる前後方向に揺れ動いた状態の平面視側からの動作説明図。
【図１０】第２の実施形態を示す目地プレート用支承装置の平面図。
【図１１】図１０の１１−１１線に沿う断面図。
【図１２】第３の実施形態を示す目地プレート用支承装置の平面図。
【図１３】図１２の１３−１３線に沿う断面図。
【図１４】第４の実施形態を示す目地プレート用支承装置の平面図。
【図１５】図１４の１５−１５線に沿う断面図。
【発明を実施するための形態】
【００１１】
以下、図面に示す本発明を実施するための形態により、本発明を詳細に説明する。
図１乃至図９に示す本発明を実施するための第１の形態において、１は目地部２を介して設けられた一方の躯体３及び他方の躯体４間に設置された床用目地装置５に用いられる目地プレート６を支持する目地プレート用支承装置である。
【００１２】
なお、左右方向とは図１（平面視）における左右方向であり、前後方向とは図１における上下方向、上下方向とは図３における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態の目地プレート用支承装置１は、図１乃至図３に示すように、一方の躯体３に設けられた凹所状の目地プレート支持部７と、該目地プレート支持部７の上面７ａに設けられたスベリ部材８と、該スベリ部材８の上面に設けられた目地プレート支持部材９と、該目地プレート支持部材９の上面に固定され、目地プレート６を枢支する枢支ピン１０と、前記一方の躯体３の目地部側の壁面３ａに着脱可能に取り付けられ、上端部付近が屈曲した脱落防止片１１を備える取り付けプレート１２と、前記目地プレート支持部材９に設けられ、前記取り付けプレート１２に当接する第１の当接部材１３と、前記目地プレート支持部材９に設けられ、前記一方の躯体３側の壁面、本実施形態では、目地プレート支持部７の立ち上がる壁面７ｂに当接する第２の当接部材１４で構成される。
【００１５】
目地プレート支持部７は、一方の躯体３の目地部側の端部が前後方向に延在するように切り欠かれ、その躯体側の立ち上がる側面７ｂには、目地部２側に段差状に突出し、前記目地プレート支持部材９が目地プレート支持部７から脱落することを防止する脱落防止部１５が形成されている。
【００１６】
また、この目地プレート支持部７には、その上面に複数個のローラーを有するスベリ部材８が固定されている。
【００１７】
脱落防止部１５は、図２に示すように、下部が一方の躯体３側へ凹んだ略クランク状の凹所に形成されており、この凹所状の脱落防止部１５に目地プレート支持部材９の一側面が入り込むとともに、目地プレート支持部材９の第２の当接部材１４が当接する。
【００１８】
目地プレート支持部材９は、本実施形態では、上下に２つの板状の支持部材本体９ａ、９ｂを重ねてビスや溶接等で固定して形成されており、下部の支持部材本体９ａの方が上部の支持部材９ｂよりも左右方向の寸法が長く形成されている。
【００１９】
これらの支持部材本体９ａ、９ｂは、一方の躯体３側の端部が略面一になるように上下に重ねられているため、目地部２側の端部は階段状の段差１６が形成されている。
下部の支持部材本体９ａの目地部２側の側面には、複数個のボールベアリングが回転自在に設けられており、この複数個のボールベアリングは、第１の当接部材１３を構成している。これらのボールベアリングはそれぞれ後述する取り付けプレート１２の側面１２ａに回転自在に当接している。
【００２０】
また、上部の支持部材本体９ｂの一方の躯体３側の側面には、複数個のボールベアリングが回転自在に設けられており、この複数個のボールベアリングは、第２の当接部材１４を構成している。これらのボールベアリングはそれぞれ、目地プレート支持部７の一方の躯体３側の立ち上がる側面７ｂに回転自在に当接している。
【００２１】
このように第１の当接部材１３及び第２の当接部材１４が取り付けプレート１２や目地プレート支持部７の一方の躯体３側の立ち上がる側面７ｂ及び脱落防止部１５に当接することにより、地震によって左右の躯体が異なる前後方向に揺れ動いた場合に、スムーズに前後方向へ移動可能であるとともに、目地部が狭くなったり広くなった場合に、目地プレート支持部材９が目地プレート支持部７や取り付けプレート１２に衝突することを防止でき、それらの損傷を防ぐことができる。
【００２２】
なお、本実施形態では第１の当接部材１３及び第２の当接部材１４としてボールベアリングを用いるものについて説明したが、例えばローラーやスベリ板等のスベリ材を用いてもよく、また、スベリ材ではなく、球状の突起等、点接触状態で取り付けプレート１２や目地プレート支持部７の立ち上がる側面７ｂに当接する当接部材１３、１４としてもよい。
【００２３】
また、本実施形態第１の当接部材１３及び第２の当接部材１４は左右方向だけでなく、第１の当接部材１３のボールベアリングを、取り付けプレート１２の側面１２ａ及び脱落防止片１１の下面の略直交する２つの面に点接触状態で回転自在に当接しており、第２の当接部材１４のボールベアリングを、一方の躯体側の壁面としての目地プレート支持部７の側面７ｂ及び脱落防止部１５の水平面の略直交する２つの面に点接触状態で回転自在に当接している。
【００２４】
このように構成することで、目地プレート支持部材９が傾いたり、脱落することを確実に防止することができる。
取り付けプレート１２は、本実施形態においては上端部が屈曲する略アングル状の板材であり、略垂直な側面１２ａがビス等によって一方の躯体３の下部壁面３ａに着脱可能に取り付けられる。
【００２５】
この取り付けプレート１２の屈曲した上端部は、目地プレート支持部材９の階段状の段差１６の上部に位置し、脱落防止片１１を構成する。
支承レール１を用いた床用目地装置５は、図４乃至図６に示すように、一方の躯体３に設けられた目地プレート用支承装置１と、他方の躯体４に設けられた目地プレートスライド支持部１７と、一端部６ａが前記目地プレート用支承装置１に枢支ピンによって枢支状態で支持され、他端部６ｂが前記目地プレートスライド支持部１７に支持された目地プレート６とで構成されている。
【００２６】
目地プレートスライド支持部１７は、他方の躯体４の上面に形成されており、目地プレート６の他端部６ｂを左右方向にスライド移動可能に支持する。この目地プレートスライド支持部１７の目地部２の反対側の端部には、目地プレート６が乗り上げる乗り上げ傾斜面１８が形成されている。
【００２７】
目地プレート６は、浅皿状の目地プレート本体１９と、該目地プレート本体１９の内部に充填されたモルタルやコンクリート等の充填部材２０と、前記目地プレート本体１９の一端部側に設けられ、前記目地プレート支持台に固定された枢支ピン１０が挿入されるピンボックス２１と、目地プレート本体１９の上面に設けられた床化粧板２２と、目地プレート本体１９の他端部側にヒンジ部材２３を介して設けられたカバープレート２４とで構成されている。
【００２８】
地震で躯体３、４が左右方向に揺れ動き目地部２が少し狭くなると、図７に示すように、目地プレート６の他端部６ｂが乗り上げ傾斜面１８に乗り上げて揺れ動きを吸収する。
【００２９】
地震で躯体３、４が左右方向に揺れ動き目地部２が広くなると、図８に示すように、目地プレート６が目地プレートスライド支持部１７上を左右方向にスライド移動し揺れ動きを吸収する。
【００３０】
地震で左右の躯体３、４が異なる前後方向に揺れ動くと、図９に示すように、目地プレート６の一端部６ａ側を支持する目地プレート用支承装置１の目地プレート支持部材９は、目地プレート支持部７の上面７ａに設けられたスベリ部材８上を前後方向にスライド移動し、揺れ動きを吸収する。
【００３１】
[発明を実施するための異なる形態]
次に、図１０乃至図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０及び図１１に示す本発明を実施するための第２の形態において、前記本発明を実施するための第１の形態と主に異なる点は、目地部２側の側面に階段状の段差１６を形成したブロック状の目地プレート支持部材９Ａを用いた目地プレート用支承装置１Ａにした点で、このような目地プレート用支承装置１Ａにしても前記本発明を実施するための第１の形態と同様な作用効果が得られる。
【００３２】
図１２及び図１３に示す本発明を実施するための第３の形態において、前記本発明を実施するための第１の形態と主に異なる点は、凹所状の脱落防止部を形成しない目地プレート支持部７Ａを用いた目地プレート用支承装置１Ｂにした点で、このような目地プレート用支承装置１Ｂにしても前記本発明を実施するための第１の形態と同様な作用効果が得られる。
【００３３】
図１４及び図１５に示す本発明を実施するための第４の形態において、前記本発明を実施するための第２の形態と主に異なる点は、一方の躯体３の目地プレート支持部７に脱落防止部１５Ａを別体に設けるとともに、脱落防止部１５Ａ側にも階段状の段差１６を備えた目地プレート支持部材９Ｃを用いた目地プレート用支承装置１Ｃにした点で、このような目地プレート用支承装置１Ｃにしても前記本発明を実施するための第１の形態と同様な作用効果が得られる。
【００３４】
この脱落防止部１５Ａは略逆Ｚ字状の金具であって、下方の水平面が目地プレート支持部７にビス等で固定されており、上方の水平面は階段状の段差１６に入り込んで、目地プレート支持部材９Ｃが傾いたり、脱落することを防止している。
【００３５】
第２の当接部材１４は、本実施形態では、一方の躯体３側の壁面として、脱落防止部１５Ａの立ち上がる壁面１５ａの略直交する２つの面に点接触状態で当接している。
なお、本発明の実施形態においては板状又はブロック状の目地プレート支持部材を用いたが、中空の角パイプ状に形成してもよい。
【００３６】
また、本発明の実施形態においては、目地プレート支持部の側面には、目地部側に段差状に突出する脱落防止部が形成されたものについて説明したが、このような脱落防止片のみで目地プレート支持部材の脱落を防止できる場合には、脱落防止部を形成しなくてもよい。
【産業上の利用可能性】
【００３７】
本発明は目地プレート用支承装置を製造する産業で利用される。
【符号の説明】
【００３８】
１、１Ａ、１Ｂ、１Ｃ：目地プレート用支承装置、
２：目地部、                      ３：一方の躯体、
４：他方の躯体、                  ５：床用目地装置、
６：目地プレート、                ７：目地プレート支持部、
８：スベリ部材、
９、９Ａ、９Ｂ、９Ｃ：目地プレート支持部材、
１０：枢支ピン、                  １１：脱落防止片、
１２：取り付けプレート、          １３：第１の当接部材、
１４：第２の当接部材、            １５、１５Ａ：脱落防止部、
１６：階段状の段差                １７：目地プレートスライド支持部、
１８：乗り上げ傾斜面、            １９：目地プレート本体、
２０：充填部材、                  ２１：ピンボックス、
２２：床化粧板、                  ２３：ヒンジ部材、
２４：カバープレート。
【図１】
2018178625.tif 000003
【図２】
2018178625.tif 000004
【図３】
2018178625.tif 000005
【図４】
2018178625.tif 000006
【図５】
2018178625.tif 000007
【図６】
2018178625.tif 000008
【図７】
2018178625.tif 000009
【図８】
2018178625.tif 000010
【図９】
2018178625.tif 000011
【図１０】
2018178625.tif 000012
【図１１】
2018178625.tif 000013
【図１２】
2018178625.tif 000014
【図１３】
2018178625.tif 000015
【図１４】
2018178625.tif 000016
【図１５】
2018178625.tif 000017